(57)【特許請求の範囲】
【請求項１】
対象装置に対して利用者に対応した設定をする設定装置であって、
前記利用者に対応した携帯型記憶手段が前記利用者の前記対象装置へのログインのために新たに読出／書込手段からアクセス可能とされた時に、前記携帯型記憶手段から読み出した前記利用者に対応した設定情報と前記対象装置に内蔵された補助記憶手段に格納されている前記利用者に対応した設定情報のうちのいずれかに書き込まれた前記設定情報に従って前記対象装置に対して前記利用者に対応した設定をする初期設定手段と、
前記設定情報を、前記利用者によるユーザインターフェースに対する操作、前記対象装置の動作の何れかに少なくとも従って更新する設定情報更新手段と、
前記利用者の前記対象装置への前記ログインと前記利用者の前記対象装置からのログアウトの間に、前記設定情報が更新された時に、前記対象装置に携帯型記憶手段がアクセス可能である場合には、前記携帯型記憶手段及び前記補助記憶手段の双方に更新後の設定情報を書き込む設定情報書込手段と、
を備え、
今回のログアウトの際に前記携帯型記憶手段がアクセス可能であるならば、次回に前記携帯型記憶手段を用いてログインする時には前記携帯型記憶手段から前記設定情報を読み出すよう制御し、今回のログアウトの際に前記携帯型記憶手段がアクセス可能でないならば、次回に前記携帯型記憶手段を用いてログインする時には前記補助記憶手段から前記設定情報を読み出すよう制御することを特徴とする設定装置。
【請求項２】
請求項１に記載の設定装置であって、
今回のログアウトの際に前記携帯型記憶手段がアクセス可能であるならば、次回に前記携帯型記憶手段を用いてログインする時には前記携帯型記憶手段から読み出した前記設定情報により前記補助記憶手段に格納されている前記設定情報を置き換える手段を更に備えることを特徴とする設定装置。
【請求項３】
請求項１又は２に記載の設定装置であって、
今回のログアウトの際に前記携帯型記憶手段がアクセス可能でないならば、次回に前記携帯型記憶手段を用いてログインする時には前記補助記憶手段から読み出した前記設定情報により前記携帯型記憶手段に格納されている前記設定情報を置き換える手段を更に備えることを特徴とする設定装置。
【請求項４】
請求項１乃至３の何れか１項に記載の設定装置であって、
前記利用者の前記対象装置からの前記ログアウトは、前記対象装置に対して所定の操作が行われた時になされることを特徴とする設定装置。
【請求項５】
請求項１乃至４の何れか１項に記載の設定装置であって、
前記初期設定手段により初期化された前記設定を更新する設定更新手段を更に備えることを特徴とする設定装置。
【請求項６】
請求項１乃至５の何れか１項に記載の設定装置を備えることを特徴とする複合装置。
【請求項７】
対象装置に対して利用者に対応した設定をする設定方法であって、
前記利用者に対応した携帯型記憶手段が前記利用者の前記対象装置へのログインのために新たに読出／書込手段からアクセス可能とされた時に、前記携帯型記憶手段から読み出した前記利用者に対応した設定情報と前記対象装置に内蔵された補助記憶手段に格納されている前記利用者に対応した設定情報のうちのいずれかに書き込まれた前記設定情報に従って前記対象装置に対して前記利用者に対応した設定をする初期設定ステップと、
前記設定情報を、前記利用者によるユーザインターフェースに対する操作、前記対象装置の動作の何れかに少なくとも従って更新する設定情報更新ステップと、
前記利用者の前記対象装置への前記ログインと前記利用者の前記対象装置からのログアウトの間に、前記設定情報が更新された時に、前記対象装置に携帯型記憶手段がアクセス可能である場合には、前記携帯型記憶手段及び前記補助記憶手段の双方に更新後の設定情報を書き込む設定情報書込ステップと、
を有し、
今回のログアウトの際に前記携帯型記憶手段がアクセス可能であるならば、次回に前記携帯型記憶手段を用いてログインする時には前記携帯型記憶手段から前記設定情報を読み出すよう制御し、今回のログアウトの際に前記携帯型記憶手段がアクセス可能でないならば、次回に前記携帯型記憶手段を用いてログインする時には前記補助記憶手段から前記設定情報を読み出すよう制御することを特徴とする設定方法。
【請求項８】
コンピュータを請求項１乃至５の何れか１項に記載の設定装置として機能させるための設定用プログラム。
【発明の詳細な説明】
【技術分野】
【０００１】
本発明は、対象装置に設定をするための設定装置、これを含む複合装置、設定方法並びに設定用プログラムに関する。
【背景技術】
【０００２】
画像を紙などに形成したり、紙などから画像を読み取ったり、画像を複写したり、画像を記憶装置などに格納したり、外部装置との間で画像を送受信するための機能を有する複合機(Multi-Function Printer)が昨今ある。利用者による、これらの機能の利用やこれらの機能の設定は、複合機に備わるユーザインターフェースを介して行われる。
【０００３】
図１は、利用者が従来例による複合機を利用する手順を示すものである。
【０００４】
利用者Ｐが、対象装置としての複合機のＩＣカード載置部にＩＣカードを載置したならば（ステップＳ９０１）、ログイン部は、利用者Ｐをログインさせる（ステップＳ９０２）。
【０００５】
次に、利用者Ｐによる機能設定のための操作により対象装置に設定ｘがなされる（ステップＳ９０３）。設定ｘは、設定情報の更新を必要とする設定であるので、記憶部の設定情報は、設定情報ｘに更新される（ステップＳ９０４）。
【０００６】
次に、利用者Ｐによる機能利用のための操作があるが（ステップＳ９０５）、特に設定の変更を必要とするものではない。
【０００７】
次に、利用者は、対象装置からログアウトし（ステップＳ９０６）、ＩＣカードをＩＣカード載置部から取り除く（ステップＳ９０７）。
【０００８】
次に、他の利用者が対象装置を利用するが、このときに他の利用者は設定を変更する（ステップＳ９０８）。
【０００９】
次に、利用者Ｐが、対象装置（例えば、複合機）のＩＣカード載置部にＩＣカードを再度載置したならば（ステップＳ９０９）、ログイン部は、利用者Ｐをログインさせる（ステップＳ９１０）。
【００１０】
次に、記憶部に格納されている設定情報ｘに基づいて対象装置に設定ｘがなされる（ステップＳ９１２）。つまり、利用者Ｐのために設定ｘが復帰する。
【先行技術文献】
【特許文献】
【００１１】
【特許文献１】特開２０１５−０７９４３２号公報
【特許文献２】特開２０１５−００７８５７号公報
【発明の概要】
【発明が解決しようとする課題】
【００１２】
しかし、図１を参照して説明した従来の対象装置では、設定は、利用者による操作によりなされるものである。
【００１３】
このような対象装置の場合、利用者は、設定のために手を煩わせなければならない。設定の内容によっては、これは、非常に煩雑である。また、利用者によっては、目的の設定をすることが困難となる場合がある。更に、利用者が知っている設定よりも優れている設定があっても、利用者はそのような設定をすることは困難である。
【００１４】
特許文献１には、利用者が携帯する携帯通信端末の設定を取得し、その設定に基づいてその利用者に好適なユーザインターフェースに自機の設定を変更し得ることを目的とした画像形成装置であって、ユーザインターフェースに関連する情報を表示する表示部と、ユーザインターフェースに関連する設定を記憶するＵＩ設定記憶部と、近接場型の無線通信により携帯通信端末と通信することにより通信可能範囲内への前記携帯通信端末の近接を認識する近接通信部と、近接通信部を介して携帯通信端末のユーザインターフェースに関連する設定を受信する外部設定取得部と、携帯通信端末から取得された設定に基づいてＵＩ設定記憶部に記憶された設定を変更するＵＩ設定変更部とを備えることを特徴とする画像形成装置が開示されているが、上記の課題を解決していない。
【００１５】
特許文献２には、利用者による画像形成装置の占有を抑制することを可能とすることを目的とした画像形成システムであって、画像形成装置と、携帯型設定装置とを備えたものが開示されている。画像形成装置及び携帯型設定装置のそれぞれは、近距離無線通信用の通信インターフェースを備えている。利用者は、携帯型設定装置にジョブの設定情報を入力する。ジョブを実行させる場合には、利用者が画像形成装置へ移動して、携帯型設定装置を画像形成装置にかざす。これにより画像形成装置と携帯型設定装置との間で近接無線通信の接続が確立され、携帯型設定装置から画像形成装置に設定情報が送信され、画像形成装置においてジョブが開始される。しかし、このシステムでも、上記の課題を解決していない。
【００１６】
そこで本発明は、利用者が設定に特化した操作をしなくても対象装置に設定をすることを可能とする設定装置、設定方法及び設定用プログラムを提供することを目的とする。
【課題を解決するための手段】
【００１７】
本発明によれば、
対象装置に対して利用者に対応した設定をする設定装置であって、
前記利用者に対応した携帯型記憶手段が前記利用者の前記対象装置へのログインのために新たに読出／書込手段からアクセス可能とされた時に、前記携帯型記憶手段から読み出した前記利用者に対応した設定情報と前記対象装置に内蔵された補助記憶手段に格納されている前記利用者に対応した設定情報のうちのいずれかに書き込まれた前記設定情報に従って前記対象装置に対して前記利用者に対応した設定をする初期設定手段と、
前記設定情報を、前記利用者によるユーザインターフェースに対する操作、前記対象装置の動作の何れかに少なくとも従って更新する設定情報更新手段と、
前記利用者の前記対象装置への前記ログインと前記利用者の前記対象装置からのログアウトの間に、前記設定情報が更新された時に、前記対象装置に携帯型記憶手段がアクセス可能である場合には、前記携帯型記憶手段及び前記補助記憶手段の双方に更新後の設定情報を書き込む設定情報書込手段と、
を備え、
今回のログアウトの際に前記携帯型記憶手段がアクセス可能であるならば、次回に前記携帯型記憶手段を用いてログインする時には前記携帯型記憶手段から前記設定情報を読み出すよう制御し、今回のログアウトの際に前記携帯型記憶手段がアクセス可能でないならば、次回に前記携帯型記憶手段を用いてログインする時には前記補助記憶手段から前記設定情報を読み出すよう制御することを特徴とする設定装置が提供される。
【００１８】
また、本発明によれば、
対象装置に対して利用者に対応した設定をする設定方法であって、
前記利用者に対応した携帯型記憶手段が前記利用者の前記対象装置へのログインのために新たに読出／書込手段からアクセス可能とされた時に、前記携帯型記憶手段から読み出した前記利用者に対応した設定情報と前記対象装置に内蔵された補助記憶手段に格納されている前記利用者に対応した設定情報のうちのいずれかに書き込まれた前記設定情報に従って前記対象装置に対して前記利用者に対応した設定をする初期設定ステップと、
前記設定情報を、前記利用者によるユーザインターフェースに対する操作、前記対象装置の動作の何れかに少なくとも従って更新する設定情報更新ステップと、
前記利用者の前記対象装置への前記ログインと前記利用者の前記対象装置からのログアウトの間に、前記設定情報が更新された時に、前記対象装置に携帯型記憶手段がアクセス可能である場合には、前記携帯型記憶手段及び前記補助記憶手段の双方に更新後の設定情報を書き込む設定情報書込ステップと、
を有し、
今回のログアウトの際に前記携帯型記憶手段がアクセス可能であるならば、次回に前記携帯型記憶手段を用いてログインする時には前記携帯型記憶手段から前記設定情報を読み出すよう制御し、今回のログアウトの際に前記携帯型記憶手段がアクセス可能でないならば、次回に前記携帯型記憶手段を用いてログインする時には前記補助記憶手段から前記設定情報を読み出すよう制御することを特徴とする設定方法が提供される。。
【００１９】
更に、本発明によれば、コンピュータを上記の設定装置として機能させるための設定用プログラムが提供される。
【発明の効果】
【００２０】
本発明によれば、利用者が設定に特化した操作をしなくても対象装置に設定をすることが可能となる。
【図面の簡単な説明】
【００２１】
【図１】従来例による複合機の使用例を示すシーケンス図である。
【図２】本発明の第１の実施の形態による設定装置の機能ブロック図である。
【図３】本発明の実施の形態による設定の機能の有効／無効を切り替えるための画面を示す図である。
【図４】本発明の第１の実施の形態による設定装置の動作を説明するためのフローチャートである。
【図５】（ａ）は、本発明の実施の形態における設定前の対象装置のインターフェースの画面を示す図であり、（ｂ）は、本発明の実施の形態における設定後の対象装置のインターフェースの画面を示す図である。
【図６】本発明の第２の実施の形態による設定装置の機能ブロック図である。
【図７】本発明の第２の実施の形態による設定装置の動作を説明するためのフローチャートである。
【図８】本発明の第３の実施の形態による設定装置の機能ブロック図である。
【図９】本発明の第４の実施の形態による設定装置の機能ブロック図である。
【図１０】本発明の第５の実施の形態による複合機の断面を示す模式図である。
【図１１】本発明の第５の実施の形態による複合機に含まれる複合機機能部の機能ブロック図である。
【図１２】本発明の第１の実施の形態の具体的な動作例１を示すためのシーケンス図である。
【図１３】本発明の第１の実施の形態の具体的な動作例２を示すためのシーケンス図である。
【図１４】本発明の第１の実施の形態の具体的な動作例３を示すためのシーケンス図である。
【図１５】本発明の第２の実施の形態の具体的な動作例１を示すためのシーケンス図である。
【図１６】本発明の第２の実施の形態の具体的な動作例２を示すためのシーケンス図である。
【発明を実施するための形態】
【００２２】
以下、図面を参照して本発明を実施するための形態について詳細に説明する。
【００２３】
本発明の実施の形態では、ＩＣカード等を利用してログインしている利用者の対象装置（例えば、複合機）に対する操作の内容や実施したオペレーションの傾向によって、おすすめのシステム設定（ユーザインターフェース／システム設定値／ジョブ設定等）をＩＣカードのユーザ領域に「自動」で書き込みを行う。そして次回以降に同じＩＣカードでログインした際にユーザ領域のシステム設定データを「自動」で読み込み、システム設定に即座に反映する。また２回目のログイン以降も適宜おすすめシステム設定の新規書き込み・修正書き込みを実施する。
【００２４】
［第１の実施の形態］
図２は、本発明の第１の実施の形態による設定装置などを示す機能ブロック図である。
【００２５】
図２を参照すると、この設定装置１０１は、対象装置１０３の設定１０５を、対象装置１０３に内蔵され又は接続された記憶部１０７及び対象装置１０３に対して取り外し可能に接続されるＩＣカード１０９を利用してするものである。また、この設定１０５は、利用者毎のものである。設定をするために必要な設定情報１０７は、記憶部１０７及び各利用者が利用するＩＣカード１０９に格納される。本実施の形態においては、対象装置１０３としては、複合機（ＭＦＰ）を想定している。また、設定装置１０１は、対象装置１０３に、その一部として組み込まれていてもよい。
【００２６】
ここで、ＩＣカードとしては、例えば、ＮＦＣ(Near Field Communication/近距離無線通信)を利用したものを用いる。ＩＳＯ  １４４４３  Ｔｙｐｅ  Ａ（Ｍｉｆａｒｅなど）やＩＳＯ１８０９２  ＦｅｌｉＣａ（登録商標）等の非接触ＩＣチップ・カードは、シリアルナンバーなど利用者が書き換えることのできないデータ領域のほかに、利用者が自由に読み書きできるデータ領域（ユーザ領域やユーザエリア等という。）が存在する。ユーザ領域のサイズはＩＣカードの種類・グレードにより異なるが基本的に数十バイト〜数千バイト程度確保されているものが多い。
【００２７】
例えばＭｉｆａｒｅと呼ばれるＩＣカードの種類をみてみるとユーザ領域が３，０００バイト以上確保されているタイプのもの（基本的にこのような大容量タイプは社員証など使い捨て用途ではない目的に使用される）、一方でユーザ領域が４８バイトしか確保されていないタイプのもの（このようなものは使い捨ての各種チケット、切符等に利用されることが多い）等が存在する。
【００２８】
設定装置１０１は、ＩＣカード載置部１１１、ＩＣカードリーダ／ライタ１１３、ログイン部１１５、利用者インターフェース１１７、ログアウト部１１９、初期設定部１２１、設定情報更新部１２３、設定情報書込部１２７、設定情報読込部１２９、フラグ判定部１３１、設定情報置換部１３３、フラグ操作部１３５、有効／無効部１３７及び制御部１５１を含む。但し、ＩＣカード載置部１１１、ＩＣカードリーダ／ライタ１１３及び利用者インターフェース１１７は、対象装置１０３に含まれるものであってもよい。
【００２９】
ＩＣカード載置部１１１は、ＩＣカード１０９が載置される部分である。載置されることにより、ＩＣカード１０９は、ＩＣカードリーダ／ライタ１１３からアクセスすることが可能になる。
【００３０】
ＩＣカードリーダ／ライタ１１３は、ＩＣカード載置部１１１に載置されたＩＣカード１０９に対して、データを読み書きする。
【００３１】
ログイン部１１５は、ＩＣカード１０９が新たにＩＣカード載置部１１１に載置され、ＩＣカードリーダ／ライタ１１３が、ＩＣカード１０９のデータを読み込んだときに、そのデータに含まれている利用者識別情報に基づいて、その利用者をログインさせる。
【００３２】
利用者インターフェース１１７は、利用者による操作を受け付けたり、利用者に対して、画像などを出力する。利用者インターフェース１１７は、例えば、タッチセンサ付の液晶表示装置を含む。
【００３３】
ログアウト部１１９は、利用者がログアウトのための操作を利用者インターフェース１１９に対してなしたときに、その利用者をログアウトさせる。
【００３４】
初期設定部１２１は、利用者に対応したＩＣカード１０９が利用者の対象装置１０３へのログインのために新たにＩＣカードリーダ／ライタ１１３からアクセス可能とされた時に、ＩＣカード１０９に格納されている利用者に対応した設定情報と記憶部１０７に格納されている利用者に対応した設定情報のうち、後に書き込まれた設定情報又は同時に書き込まれた何れかの設定情報に従って対象装置１０３に対して利用者に対応した設定１０５をする。
【００３５】
設定情報更新部１２３は、対象装置１０３におけるユーザインターフェース１１７（特に画面の表示様式（動的な様式を含む。））の設定、システム設定及びジョブ設定のうちの少なくとも一部を設定するための設定情報を、利用者によるユーザインターフェース１１７に対する操作、対象装置１０３の動作等に従って更新する。
【００３６】
例えば、設定情報更新部１２３は、ある利用者が、対象装置１０３に含まれる画像読取装置をもっぱら利用して、対象装置１０３に含まれる画像形成装置をめったに利用しないと、利用者が複数回ログインするうちのあるログイン状態におけるある時点で判断したならば、次回以降のログイン時には画像形成装置のウォーミングアップを行わないようにするために設定情報を更新する。これは、省電力のシステム設定をするための設定情報である。このように次回以降のログイン時にはウォーミングアップを行わないべきであるとの判断は、例えば、利用者が、対象装置１０３にログインしていて画像読取が繰り返されている最中に、画像読取の累積回数と、画像複写の累積回数とから求まる所定の評価値が所定の条件を満たした時点で行う。
【００３７】
また、例えば、設定情報更新部１２３は、ある利用者が、対象装置１０３を用いて、殆どの場合において特定の設定（例えば、特定の用紙サイズ、特定の濃度、ホチキス綴じの利用等）で複写をすると、利用者が複数回ログインするうちのあるログイン状態におけるある時点で判断したならば、次回以降のログイン時には複写については設定をその特定の設定に初期化するために設定情報を更新する。これは、ユーザにおける操作負担の低減のためのジョブ設定をするための設定情報である。このように次回以降のログイン時には複写における設定をその特定の設定に初期化するべきであるとの判断は、例えば、利用者が、対象装置１０３にログインしていてその設定での複写が繰り返されている最中に、その設定での複写の累積回数から求まる所定の評価値が所定の条件を満たした時点で行う。
【００３８】
更に、例えば、設定情報更新部１２３は、ある利用者が、ログインしている最中に、ユーザインターフェース１１７を介して、左利き用の画面表示を選択したならば、その瞬間に表示を左利き用のもの（例えば、コピーボタンを左側に配置した表示）に切り替えるのみならず、その利用者は左利きであると判断し、次回以降のログイン時には、最初から左利き用の画面を表示するために設定情報を更新する。これは、ユーザインターフェースの設定をするための設定情報である。
【００３９】
設定情報書込部１２７は、利用者の対象装置１０３へのログインと利用者の対象装置１０３からのログアウトの間に、設定情報１０７が更新された時に、ＩＣカード１０９がＩＣカード載置部１１１に載置され、ＩＣカードリーダ／ライタ１１３からアクセス可能な状態にある場合には、ＩＣカード１０９及び記憶部１０７の双方にその設定情報１０７を書き込み、そうでない場合には、記憶部１０７にその設定情報を書き込む。
【００４０】
設定情報読込部１２９は、利用者に対応したＩＣカード１０９が利用者の対象装置１０３へのログインのために新たにＩＣカードリーダ／ライタ１１３からアクセス可能とされた時にＩＣカードリーダ／ライタ１１３によりＩＣカード１０９から読み込まれたその利用者に対応した設定情報と、記憶部１０７に格納されているその利用者に対応した設定情報とを読み込む。
【００４１】
フラグ判定部１３１は、利用者に対応したＩＣカード１０９が利用者の対象装置１０３へのログインのために新たにリーダ／ライタ１１３からアクセス可能とされた時にＩＣカードリーダ／ライタ１１３によりＩＣカード１０９から読み込まれた正常終了フラグがリセットされている場合には、ＩＣカード１０９に格納されている設定情報が、記憶部１０７に格納されている設定情報よりも時間的に前に書き込まれたと判定し、セットされている場合には、ＩＣカード１０９に格納されている設定情報が、記憶部１０７に格納されている設定情報と同時に書き込まれたと判定する。
【００４２】
ここで、正常終了フラグとは、利用者がログアウトする時に、ＩＣカード１０９が載置部１１１に置かれていて、ＩＣカードリーダ／ライタ１１３によりアクセスできる状態にあるか否かを示すものである。
【００４３】
設定情報置換部１３３は、ＩＣカード１０９に格納されている設定情報が、記憶部１０７に格納されている設定情報よりも早く書き込まれたとフラグ判定部１３１により判定された場合（つまり、ＩＣカード１０９に格納されている設定情報が、記憶部１０７に格納されている設定情報よりも古いものであると判断された場合）、記憶部１０７に格納されている設定情報によりＩＣカード１０９に格納されている設定情報を置き換える。
【００４４】
フラグ操作部１３５は、利用者に対応したＩＣカード１０９が利用者の対象装置１０３へのログインのために新たにリーダ／ライタ１１３からアクセス可能とされてから初期設定部１２１による設定が終了した時に、ＩＣカード１０９に設けられた正常終了フラグをリセットする。また、フラグ操作部１３５は、利用者が前記対象装置１０３からログアウトする時に前用者に対応したＩＣカード１０９がＩＣカードリーダ／ライタ１１３からアクセス可能である場合には、正常終了フラグをセットする。
【００４５】
有効／無効部１３７は、設定装置１０１による対象装置１０３に対する設定の機能をユーザインターフェース１１７の図３に示すような画面からの入力などにより有効又は無効にし、その状態をフラグにより保持する。また、設定の機能が有効である場合、設定装置１０１によるＩＣカード１０９に対する書込みの機能をユーザインターフェース１１７からの入力などにより有効又は無効にし、その状態をフラグにより保持する。
【００４６】
制御部１５１は、設定装置１０１の全体の動作を制御する。
【００４７】
次に、図４を参照して、本実施の形態による設定装置１０１により行われる設定方法の説明をする。
【００４８】
まず、利用者がＩＣカード１０９をＩＣカード載置部１１１に置く（ステップＳ３０１）。
【００４９】
次に、ＩＣカードリーダ／ライタ１１３がＩＣカード１０９を読み込む（ステップＳ３０３）。
【００５０】
次に、ログイン部１１５は、利用者をログインさせる（ステップＳ３０５）。
【００５１】
次に、制御部１５１は、有効／無効部１３７を参照して、設定機能が有効か否かを判断する（ステップＳ３０７）。
【００５２】
無効であれば（ステップＳ３０７でＮＯ）、処理を終了する。
【００５３】
有効であれば（ステップＳ３０７でＹＥＳ）、フラグ判定部１３１は、ＩＣカード内の正常終了フラグがセットされているのかリセットされているのかを判断する（ステップＳ３０９）。
【００５４】
セットされているとステップＳ３０９で判断されたのであれば、設定情報読込部１２９は、ＩＣカード１０９に格納されている設定情報を読込み（ステップＳ３１１）、初期設定部１２１は、ＩＣカード１０９から読み出された設定情報に基づいて種々の設定１０５をする（ステップＳ３１３）。
【００５５】
リセットされているとステップＳ３０９で判断されたのであれば、設定情報読込部１２９は、記憶部１０７に格納されている設定情報を読込み（ステップＳ３１５）、初期設定部１２１は、記憶部１０７から読み出された設定情報に基づいて種々の設定１０５をする（ステップＳ３１７）。そして、設定情報置換部１３３は、ステップＳ３１５で記憶部１０７から読み出された設定情報によりＩＣカード１０９に記憶されている設定情報をＩＣカードリーダ／ライタ１１３を介して置き換える（ステップＳ３１９）。
【００５６】
ステップＳ３１３又はステップＳ３１７で設定１０５がされたならば、ユーザインターフェース１１７の画面は、図５（ａ）に示すものから図５（ｂ）に示すものに変化する。
【００５７】
ステップＳ３１３又はステップＳ３１９の次に、制御部１５１は、有効／無効部１３７を参照して、設定情報のＩＣカード１０９に対する書込みが有効であるか否かを判断する（ステップＳ３２１）。
【００５８】
ステップＳ３２１で無効であると判断されたならば、処理を終了する。
【００５９】
ステップＳ３２１で有効であると判断されたならば、フラグ操作部１３５は、ＩＣカードリーダ／ライタ１１３を介して、ＩＣカード１０９内の正常フラグをリセットする（ステップＳ３２３）。
【００６０】
次に、インターフェース１１７が利用者による操作を受け付けたならば（ステップＳ３２５でＹＥＳ）、その操作がログアウトのための操作であるか否かを判断する（ステップＳ３２７）。受け付けなければ（ステップＳ３２５でＮＯ）、ステップＳ３２９に進む。ログアウトのための操作でない場合にも（ステップＳ３２７でＮＯ）、ステップＳ３２９に進む。
【００６１】
ステップＳ３２９では、設定情報更新部１２３により設定情報１０７が更新されたか否かを判断する。
【００６２】
更新されていないならば（ステップＳ３２９でＮＯ）、ステップＳ３２５に戻り、次回の操作を待つ。
【００６３】
更新されていれば（ステップＳ３２９でＹＥＳ）、設定情報書込部１２７は、更新後の設定情報１０７を記憶部１０７に書込み（ステップＳ３３１）、更に、ＩＣカード１０９がＩＣカード載置部１１１に置かれて、ＩＣカードリーダ／ライタ１１３によりアクセス可能な状態にあるならば（ステップＳ３３３でＹＥＳ）、更新後の設定情報１０７をＩＣカード１０９に書込んだ後に（ステップＳ３３５）、ステップＳ３２５に戻り、次回の操作を待つ。
【００６４】
利用者による操作がログアウトのための操作であることが判断された場合には（ステップＳ３２７でＹＥＳ）、ＩＣカード１０９がＩＣカード載置部１１１に置かれて、ＩＣカードリーダ／ライタ１１３によりアクセス可能な状態にあるならば（ステップＳ３３７でＹＥＳ）、フラグ操作部１３５は、ＩＣカードリーダ／ライタ１１３を介して、ＩＣカード１０９内の正常フラグをセットする（ステップＳ３３９）。
【００６５】
［第２の実施の形態］
図６は、本発明の第２の実施の形態による設定装置などを示す機能ブロック図である。
【００６６】
図６を参照すると、この設定装置１０１は、対象装置１０３の設定１０５を、記憶部１０７及びＩＣカード１０９を利用してするものである。また、この設定１０５は、利用者毎のものである。設定をするために必要な設定情報１０７及びそれらへの設定情報の書込みの日時を表す日時情報は、記憶部１０７及び各利用者が利用するＩＣカード１０９に格納される。本実施の形態においては、対象装置１０３としては、複合機（ＭＦＰ）を想定している。また、設定装置１０１は、対象装置１０３に、その一部として組み込まれていてもよい。
【００６７】
設定装置１０１は、ＩＣカード載置部１１１、ＩＣカードリーダ／ライタ１１３、ログイン部１１５、利用者インターフェース１１７、ログアウト部１１９、初期設定部１２１、設定情報更新部１２３、設定情報／日時情報書込部１２７Ｂ、設定情報読込部１２９、設定情報／日時情報置換部１３３Ｂ、有効／無効部１３７、日時比較部１４１及び制御部１５１を含む。但し、ＩＣカード載置部１１１、ＩＣカードリーダ／ライタ１１３及び利用者インターフェース１１７は、対象装置１０３に含まれるものであってもよい。
【００６８】
ＩＣカード載置部１１１は、ＩＣカード１０９が載置される部分である。載置されることにより、ＩＣカード１０９は、ＩＣカードリーダ／ライタ１１３からアクセスすることが可能になる。
【００６９】
ＩＣカードリーダ／ライタ１１３は、ＩＣカード載置部１１１に載置されたＩＣカード１０９に対して、データを読み書きする。
【００７０】
ログイン部１１５は、ＩＣカード１０９が新たにＩＣカード載置部１１１に載置され、ＩＣカードリーダ／ライタ１１３が、ＩＣカード１０９のデータを読み込んだときに、そのデータに含まれている利用者識別情報に基づいて、その利用者をログインさせる。
【００７１】
利用者インターフェース１１７は、利用者による操作を受け付けたり、利用者に対して、画像などを出力する。利用者インターフェース１１７は、例えば、タッチセンサ付の液晶表示装置を含む。
【００７２】
ログアウト部１１９は、利用者がログアウトのための操作を利用者インターフェース１１９に対してしたときに、その利用者をログアウトさせる。
【００７３】
初期設定部１２１は、利用者に対応したＩＣカード１０９が利用者の対象装置１０３へのログインのために新たにＩＣカードリーダ／ライタ１１３からアクセス可能とされた時に、ＩＣカード１０９に格納されている利用者に対応した設定情報と記憶部１０７に格納されている利用者に対応した設定情報のうち、後に書き込まれた設定情報又は同時に書き込まれた何れかの設定情報に従って対象装置１０３に対して利用者に対応した設定１０５をする
設定情報更新部１２３は、対象装置１０３におけるユーザインターフェース１１７（特に画面の表示様式（動的な様式を含む。））、システム設定及びジョブ設定のうちの少なくとも一部を設定するための設定情報を、利用者によるユーザインターフェース１１７に対する操作、対象装置１０３の動作等に従って更新する。
【００７４】
例えば、設定情報更新部１２３は、ある利用者が、対象装置１０３に含まれる画像読取装置をもっぱら利用して、対象装置１０３に含まれる画像形成装置をめったに利用しないと、利用者が複数回ログインするうちのあるログイン状態におけるある時点で判断したならば、次回以降のログイン時には画像形成装置のウォーミングアップを行わないようにするために設定情報を更新する。これは、省電力のためである。このように次回以降のログイン時にはウォーミングアップを行わないべきであるとの判断は、例えば、利用者が、対象装置１０３にログインしていて画像読取が繰り返されている最中に、画像読取の累積回数と、画像複写の累積回数とから求まる所定の評価値が所定の条件を満たした時点で行う。
【００７５】
また、例えば、設定情報更新部１２３は、ある利用者が、対象装置１０３を用いて、殆どの場合において特定の設定で複写をすると、利用者が複数回ログインするうちのあるログイン状態におけるある時点で判断したならば、次回以降のログイン時には複写における設定をその特定の設定に初期化するために設定情報を更新する。これは、ユーザにおける操作負担の低減のためである。このように次回以降のログイン時には複写における設定をその特定の設定に初期化するべきであるとの判断は、例えば、利用者が、対象装置１０３にログインしていてその設定での複写が繰り返されている最中に、その設定での複写の累積回数から求まる所定の評価値が所定の条件を満たした時点で行う。
【００７６】
更に、例えば、設定情報更新部１２３は、ある利用者が、ログインしている最中に、ユーザインターフェース１１７を介して、左利き用の画面表示を選択したならば、その瞬間に表示を左利き用のものに切り替えるのみならず、その利用者は左利きであると判断し、次回以降のログイン時には、最初から左利き用の画面を表示するために設定情報を更新する。
【００７７】
設定情報／日時情報書込部１２７Ｂは、利用者の対象装置１０３に対するログインと利用者の対象装置１０３からのログアウトの間に、設定情報１０７が更新された時に、ＩＣカード１０９がＩＣカード載置部１１１に載置され、ＩＣカードリーダ／ライタ１１３からアクセス可能な状態にある場合には、ＩＣカード１０９及び記憶部１０７の双方にその設定情報１０７及び日時情報（タイムスタンプ）を書き込み、そうでない場合には、記憶部１０７にその設定情報及び日時情報（タイムスタンプ）を書き込む。設定情報／日時情報書込部１２７Ｂは、設定情報書込部１２７に、これと同時に動作する日時情報書込部を追加したものであり、これらは分離していてもよい。
【００７８】
設定情報読込部１２９は、利用者に対応したＩＣカード１０９が利用者の対象装置１０３へのログインのために新たにＩＣカードリーダ／ライタ１１３からアクセス可能とされた時にＩＣカードリーダ／ライタ１１３によりＩＣカード１０９から読み込まれたその利用者に対応した設定情報と、記憶部１０７に格納されているその利用者に対応した設定情報とを読み込む。
【００７９】
設定情報置換部１３３Ｂは、ＩＣカード１０９に格納されている設定情報が、記憶部１０７に格納されている設定情報よりも早く書き込まれたと日時比較部１４１により判定された場合（つまり、ＩＣカード１０９に格納されている設定情報が、記憶部１０７に格納されている設定情報よりも古いものであると判定された場合）、記憶部１０７に格納されている設定情報及び日時情報（タイムスタンプ）によりＩＣカード１０９に格納されている設定情報及び日時情報（タイムスタンプ）を置き換える。
【００８０】
また、設定情報置換部１３３Ｂは、ＩＣカード１０９に格納されている設定情報が、記憶部１０７に格納されている設定情報よりも遅く書き込まれたと日時比較部１４１により判定された場合（つまり、ＩＣカード１０９に格納されている設定情報が、記憶部１０７に格納されている設定情報よりも新しいものであると判定された場合）、ＩＣカード１０９に格納されている設定情報及び日時情報（タイムスタンプ）により記憶部１０７格納されている設定情報及び日時情報（タイムスタンプ）を置き換える。
【００８１】
有効／無効部１３７は、設定装置１０１による対象装置１０３に対する設定の機能をユーザインターフェース１１７の図３に示すような画面からの入力などにより有効又は無効にし、その状態をフラグにより保持する。また、設定の機能が有効である場合、設定装置１０１によるＩＣカード１０９に対する書込みの機能をユーザインターフェース１１７からの入力などにより有効又は無効にし、その状態をフラグにより保持する。
【００８２】
日時比較部１４１は、利用者に対応したＩＣカード１０９が利用者の対象装置１０３へのログインのために新たにリーダ／ライタ１１３からアクセス可能とされた時にＩＣカードリーダ／ライタ１１３によりＩＣカード１０９から読み込まれた日時情報（タイムスタンプ）を、記憶部１０７に格納されている日時情報（タイムスタンプ）と比較し、これに基づいて、ＩＣカードから読み出した設定情報と記憶部１０７に格納されている設定情報の時間的な前後関係を判断する。
【００８３】
制御部１５１は、設定装置１０１の全体の動作を制御する。
【００８４】
次に、図７を参照して、本実施の形態による設定装置１０１により行われる設定方法の説明をする。
【００８５】
まず、利用者がＩＣカード１０９をＩＣカード載置部１１１に置く（ステップＳ３０１）。
【００８６】
次に、ＩＣカードリーダ／ライタ１１３がＩＣカード１０９を読み込む（ステップＳ３０３）。
【００８７】
次に、ログイン部１１５は、利用者をログインさせる（ステップＳ３０５）。
【００８８】
次に、制御部１５１は、有効／無効部１３７を参照して、設定機能が有効か否かを判断する（ステップＳ３０７）。
【００８９】
無効であれば（ステップＳ３０７でＮＯ）、処理を終了する。
【００９０】
有効であれば（ステップＳ３０７でＹＥＳ）、日付比較部１４１は、ＩＣカード内の日時情報により示される日時は、記憶部１０７に格納されている日時情報により示される日時よりも前か否かを判断する（ステップＳ３０９Ｂ）。
【００９１】
前でないとステップＳ３０９Ｂで判断されたのであれば、設定情報読込部１２９は、ＩＣカード１０９に格納されている設定情報を読込み（ステップＳ３１１）、初期設定部１２１は、ＩＣカード１０９から読み出された設定情報に基づいて種々の設定１０５をする（ステップＳ３１３）。そして、設定情報／日時情報置換部１３３Ｂは、ステップＳ３１１でＩＣカード１０９から読み出された設定情報及び日付情報により記憶部１０７に記憶されている設定情報及び日付情報をＩＣカードリーダ／ライタ１１３を介して置き換える（ステップＳ３１４）。
【００９２】
前であるとステップＳ３０９で判断されたのであれば、設定情報読込部１２９は、記憶部１０７に格納されている設定情報を読込み（ステップＳ３１５）、初期設定部１２１は、記憶部１０７から読み出された設定情報に基づいて種々の設定１０５をする（ステップＳ３１７）。そして、設定情報／日時情報置換部１３３Ｂは、ステップＳ３１５で記憶部１０７から読み出された設定情報及び日付情報によりＩＣカード１０９に記憶されている設定情報及び日付情報をＩＣカードリーダ／ライタ１１３を介して置き換える（ステップＳ３１９）。
【００９３】
ステップＳ３１３又はステップＳ３１７で設定１０５がされたならば、ユーザインターフェース１１７の画面は、図５（ａ）に示すものから図５（ｂ）に示すものに変化する。
【００９４】
ステップＳ３１４又はステップＳ３１９の次に、制御部１５１は、有効／無効部１３７を参照して、設定情報のＩＣカード１０９に対する書込みが有効であるか否かを判断する（ステップＳ３２１）。
【００９５】
ステップＳ３２１で無効であると判断されたならば、処理を終了する。
【００９６】
ステップＳ３２１で有効であると判断されたならば、インターフェース１１７が利用者による操作を受け付けたならば（ステップＳ３２５でＹＥＳ）、その操作がログアウトのための操作であるか否かを判断する（ステップＳ３２７）。受け付けなければ（ステップＳ３２５でＮＯ）、ステップＳ３２９に進む。ログアウトのための操作でない場合にも（ステップＳ３２７でＮＯ）、ステップＳ３２９に進む。
【００９７】
ステップＳ３２９では、設定情報更新部１２３により設定情報１０７が更新されたか否かを判断する。
【００９８】
更新されていないならば（ステップＳ３２９でＮＯ）、ステップＳ３２５に戻り、次回の操作を待つ。
【００９９】
更新されていれば（ステップＳ３２９でＹＥＳ）、設定情報書込部１２７は、更新後の設定情報１０７及び現在の日時を示すタ日時情報（タイムスタンプ）を記憶部１０７に書込み（ステップＳ３３１、Ｓ３３２）、更に、ＩＣカード１０９がＩＣカード載置部１１１に置かれて、ＩＣカードリーダ／ライタ１１３によりアクセス可能な状態にあるならば（ステップＳ３３３でＹＥＳ）、更新後の設定情報１０７及びステップＳ３３２の日時情報（タイムスタンプ）をＩＣカード１０９に書込んだ後に（ステップＳ３３５、Ｓ３３６）、ステップＳ３２５に戻り、次回の操作を待つ。
【０１００】
利用者による操作がログアウトのための操作であることが判断された場合には（ステップＳ３２７でＹＥＳ）、処理を終了する。
【０１０１】
［第３の実施の形態］
第３の実施の形態においては、図８に示すように、第１の実施の形態の構成に設定更新部１２５を追加したものである。
【０１０２】
設定更新部１２５は、設定情報更新部１２３が設定情報を更新するのと同時に、その設定情報に対応するように設定１０５を更新する。こうすることにより、次回にログインをする前に設定情報に対応した設定をすることが可能となる。
【０１０３】
なお、設定更新部１２５は、設定情報更新部１２３が設定情報を更新しない時にも、設定１０５を更新してもよい。
【０１０４】
［第４の実施の形態］
第４の実施の形態においては、図９に示すように、第２の実施の形態の構成に設定更新部１２５を追加したものである。設定更新部１２５は、第３の実施の形態のものと同様なものである。
【０１０５】
［第５の実施の形態］
第１乃至第４の実施の形態では、例えば、利用者による選択により、設定情報の全てを利用して設定してもよいし、設定情報の一部を利用して設定をしてもよい。
【０１０６】
また、設定情報は、バックアップなどのために、ＩＣカード及び記憶部以外の記録媒体にしてもよい。
【０１０７】
［第６の実施の形態］
第６の実施の形態は、第１乃至第５の実施の形態における対象装置の一例としての複合機１０３に関するものである。図１０及び図１１は、複合機１０３の構成などを示すものである。
【０１０８】
図１０及び図１１に示すように、複合機１０３は、原稿の画像を読み取る画像読取装置７３１と、シートに画像を形成する複合機本体（画像形成部本体）７３２と、画像読取装置７３１及び複合機本体７３２を操作するための操作パネル部７５２と、操作パネル部７５２による操作に基づいて画像読取装置７３１及び複合機本体７３２を制御する全体制御部７５１と、を備えている。操作パネル７５２は、ユーザインターフェース１１７の一部を構成する。
【０１０９】
画像読取りのために画像読取装置７３１を単体で用いること、画像形成のために画像形成部本体７３２を単体で用いることの他に、画像を複写するためにこれらを連動させることもできる。また、複合機１０３は図示しない記憶装置及びファクシミリ装置を含んでいてもよい。記憶装置は、画像読取装置により読み取られた画像やファクシミリ装置により受信した画像を格納することができる。ファクシミリ装置は、画像読取装置により読み取られた画像や記憶装置に格納されている画像を送信することと、外部から画像を受信することができる。更に、複合機１０３は、ネットワークを介してパーソナルコンピュータと接続するためのインターフェースを含んでいてもよい。複合機１０３に接続されたパーソナルコンピュータは、これが管理できるデータについて複合機の機能を利用することができる。
【０１１０】
画像読取装置７３１は、原稿を自動給送する原稿自動給送部ＳＰＦ(Single Pass Feeder)７００と、原稿の画像を読み取る読取装置本体７１０と、を備えている。なお、画像読取装置７３１は、図１１に示す構成要素の他に、図１１には示されないが図１０に示される構成要素も含む。
【０１１１】
複合機本体７３２は、シートを給送するシート給送部１０と、シートを手差し給送可能な手差し給送部２０と、シート給送部１０又は手差し給送部２０により給送されるシートに画像を形成する画像形成部３０と、を備えている。
【０１１２】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【０１１３】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体７３２に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【０１１４】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【０１１５】
４つのプロセスカートリッジ３１Ｙ〜３１Ｋのそれぞれは、複合機本体７３２から取り外し可能に構成されており、交換可能となっている。なお、４つのプロセスカートリッジ３１Ｙ〜３２Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１１６】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１１７】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１１８】
操作パネル部７５２は、所定の情報を表示する表示部７５２ａと、利用者が画像読取装置７３１及び複合機本体７３２への指示を入力する入力部７５２ｂと、を備えている。本実施形態においては、操作パネル部７５２は、読取装置本体７１０の正面側に配設されている。なお、正面側は図１０の紙面の手前側に対応し、裏面側は図１０の背面側に対応する。
【０１１９】
図１１に示すように、全体制御部７５１は、シート給送部１０、手差し給送部２０、画像形成部３０及び画像読取装置７３１を駆動制御するＣＰＵ７５１ａと、ＣＰＵ７５１ａを動作させるための各種プログラムとＣＰＵ７５１ａが用いる各種情報等を記憶するメモリ７５１ｂと、を備えている。全体制御部７５１は、利用者による操作パネル部７５２への操作に基づいて、シート給送部１０、手差し給送部２０、画像形成部３０及び画像読取装置７３１の動作を統合して制御し、シートに画像を形成させる。
【０１２０】
なお、全体制御部７５１に設定装置１１１の全部または一部が含まれていてもよい。
【０１２１】
次に、上述のように構成された複合機１０３による画像形成動作（全体制御部７５１による画像形成制御）について説明する。本実施形態においては、原稿自動給送部７００により給送され、読取装置本体７１０により読み取られた読取原稿の画像を、シート給送部１０により給送されるシートに画像形成部３０が形成する画像形成動作を例にとり説明する。
【０１２２】
利用者による操作パネル部７５２の入力部７５２ｂへの入力により、画像形成開始信号が発信されると、利用者により原稿自動給送部７００に載置された読取原稿が原稿読取位置に向けて自動給送され、原稿読取位置で読取装置本体７１０によって画像が読み取られる。
【０１２３】
読取装置本体７１０により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｂにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１２４】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１２５】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１２６】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１２７】
上記の実施の形態によれば、ＩＣカードでログイン中の利用者の対象装置に対する操作の内容及び傾向によって、その利用者に適していると思われるユーザインターフェース／システム設定値／ジョブ設定のカスタマイズを設定装置が自動で実施し、ＩＣカード等に格納する。つまり事前に人の手で設定する手間は不要となる。更に、設定装置が設定値を変更することで対象装置の操作に不慣れな利用者も適切なカスタマイズを容易に実施することができる。更に、カスタマイズ済みのデータはＩＣカードに格納されるため、別の対象装置を利用しても、その利用者向けにカスタマイズされたユーザインターフェース／システム設定値／ジョブ設定で対象装置Ｐを操作することが可能となる。
【実施例１】
【０１２８】
実施例１は、第１の実施の形態の具体的な動作例１である。
【０１２９】
図１２を参照すると、利用者Ａが、対象装置１０３（例えば、複合機）のＩＣカード載置部１１１にＩＣカード１０９を載置したならば（ステップＳ５０１）、ログイン部１１５は、利用者Ａをログインさせる（ステップＳ５０２）。次に、ＩＣカード１０９から設定情報１を読み取り（ステップＳ５０３）、これに基づいて対象装置に設定１をする（ステップＳ５０４）。この初期設定の時に、ＩＣカード内のフラグはリセットされる。
【０１３０】
次に、利用者による操作を受け付ける（ステップＳ５０５）。この操作は、設定情報の更新を伴わないものである。
【０１３１】
次に、利用者による次の操作を受け付ける（ステップＳ５０６）。この操作は設定情報の更新を伴うものであり、設定情報１は、設定情報２に更新される（ステップＳ５０７）。そして、設定情報２を記憶部１０７に書き込む（ステップＳ５０８）。ＩＣカード１０９がＩＣカード載置部１１１に載置されたままであるので、設定情報２をＩＣカード１０９にも書き込む（ステップＳ５０９）。
【０１３２】
次に、利用者による更に次の操作を受け付ける（ステップＳ５１０）。この操作は設定情報の更新を伴うものであり、設定情報２は、設定情報３に更新される（ステップＳ５１１）。そして、設定情報３を記憶部１０７に書き込む（ステップＳ５１２）。ＩＣカード１０９がＩＣカード載置部１１１に載置されたままであるので、設定情報３をＩＣカード１０９にも書き込む（ステップＳ５１３）。
【０１３３】
次に、利用者による操作により利用者をログアウトさせる（ステップＳ５１４）。このログアウトの時に、ＩＣカード内のフラグはセットされる。
【０１３４】
それから、利用者は、ＩＣカード１０９をＩＣカード載置部１１１から取り除く（ステップＳ５１５）。この時、ＩＣカード１０９には、ステップＳ５１３で書き込まれた設定情報３が格納されている。
【０１３５】
次に、他の利用者が対象装置１０３を利用する（ステップＳ５１６）。これにより対象装置１０３には、他の設定情報に対応した設定がされる。
【０１３６】
次に、利用者Ａが、対象装置１０３（例えば、複合機）のＩＣカード載置部１１１にＩＣカード１０９を再度載置したならば（ステップＳ５１７）、ログイン部１１５は、利用者Ａをログインさせる（ステップＳ５１８）。次に、ＩＣカード１０９から設定情報３を読み取り（ステップＳ５１９）、これに基づいて対象装置に設定３をする（ステップＳ５２０）。但し、記憶部１０７から設定情報３を読み取り（ステップＳ５１９Ｂ）、これに基づいて対象装置に設定３をしてもよい（ステップＳ５２０）。
【０１３７】
次に、利用者による操作を受け付ける（ステップＳ５２１）。
【０１３８】
実施例１によれば、利用者Ａは、ログアウトをしてから（ステップＳ５１４）、ＩＣカード１０９をＩＣカード載置部１１１から取り外していて（ステップＳ５１５）、ＩＣカード１０９は、ログアウトの直前に更新された設定情報３を格納することとなる。セットされているフラグがこれを示しているので、利用者Ａが、再度、ログインしたときに（ステップＳ５１８）、ＩＣカード１０９に格納されている設定情報３に基づいて、対象装置１０３に設定３をすることが可能となる（ステップＳ５１９、Ｓ５２０）。
【０１３９】
また、利用者Ａが、再度、ログインしたときに（ステップＳ５１８）、記憶部１０７に格納されている設定情報３に基づいて、対象装置１０３に設定３をすることも可能である（ステップＳ５１９Ｂ、Ｓ５２０）。
【０１４０】
次に、利用者による操作を受け付ける（ステップＳ５２１）。
【実施例２】
【０１４１】
図１３を参照すると、実施例２は、第１の実施の形態の具体的な動作例２である。
【０１４２】
利用者Ａが、対象装置１０３（例えば、複合機）のＩＣカード載置部１１１にＩＣカード１０９を載置したならば（ステップＳ５３１）、ログイン部１１５は、利用者Ａをログインさせる（ステップＳ５３２）。次に、ＩＣカード１０９から設定情報１を読み取り（ステップＳ５３３）、これに基づいて対象装置に設定１をする（ステップＳ５３４）。この初期設定の時に、ＩＣカード内のフラグはリセットされる。
【０１４３】
次に、利用者による操作を受け付ける（ステップＳ５３５）。この操作は、設定情報の更新を伴わないものである。
【０１４４】
次に、利用者による次の操作を受け付ける（ステップＳ５３６）。この操作は設定情報の更新を伴うものであり、設定情報１は、設定情報２に更新される（ステップＳ５３７）。そして、設定情報２を記憶部１０７に書き込む（ステップＳ５３８）。ＩＣカード１０９がＩＣカード載置部１１１に載置されたままであるので、設定情報２をＩＣカード１０９にも書き込む（ステップＳ５３９）。
【０１４５】
次に、利用者は、ログアウトをしていないが、ＩＣカード１０９をＩＣカード載置部１１１から取り除く（ステップＳ５４０）。従って、フラグはリセットされたままである。
【０１４６】
次に、利用者による更に次の操作を受け付ける（ステップＳ５４１）。この操作は設定情報の更新を伴うものであり、設定情報２は、設定情報３に更新される（ステップＳ５４２）。そして、設定情報３を記憶部１０７に書き込む（ステップＳ５４３）。ＩＣカード１０９がＩＣカード載置部１１１に載置されていないので、設定情報３をＩＣカード１０９に書き込むことはできない。
【０１４７】
次に、利用者による操作により利用者をログアウトさせる（ステップＳ５４４）。
【０１４８】
次に、他の利用者が対象装置１０３を利用する（ステップＳ５４５）。これにより対象装置１０３には、他の設定情報に対応した設定がされる。
【０１４９】
次に、利用者Ａが、対象装置１０３（例えば、複合機）のＩＣカード載置部１１１にＩＣカード１０９を再度載置したならば（ステップＳ５４６）、ログイン部１１５は、利用者Ａをログインさせる（ステップＳ５４７）。次に、フラグがリセットされているので、記憶部１０７から設定情報３を読み取り（ステップＳ５４８）、これに基づいて対象装置に設定３をする（ステップＳ５４９）。次に、ＩＣカード１０９に設定情報３を書き込む（ステップＳ５５０）。
【０１５０】
次に、利用者による操作を受け付ける（ステップＳ５５１）。
【０１５１】
実施例２によれば、利用者Ａは、ログアウトをする前に（ステップＳ５４４）、ＩＣカード１０９をＩＣカード載置部１１１から取り外しているので（ステップＳ５４０）、ＩＣカード１０９は、ログアウトの直前に更新された設定情報３を格納できずに、その代わりにその前の設定情報２を格納する。仮に、利用者Ａが、再度、ログインしたときに（ステップＳ５４７）、ＩＣカード１０９に格納されている設定情報２に基づいて、対象装置１０３に設定２をすると、その設定は最新のものではなくなってしまう。本実施例では、利用者Ａが、再度、ログインしたときに（ステップＳ５４７）、フラグがリセットされているので、記憶部１０７に格納されている設定情報３に基づいて、対象装置１０３に設定３をするので、最新の設定が可能となっている。
【実施例３】
【０１５２】
実施例３は、第１の実施の形態の具体的な動作例３である。実施例３では、利用者が１つのＩＣカード１０９を２つの対象装置で共通に用いる。
【０１５３】
図１４を参照すると、第１の対象装置で、ＩＣカード１０９がＩＣカード載置部１１１に置かれている状態で、設定情報１が、記憶部１０７に書き込まれる（ステップＳ５６１）。また、設定情報１は、ＩＣカード１０９にも書き込まれる（Ｓ５６２）。
【０１５４】
次に、利用者が第１の対象装置からログアウトする（ステップＳ５６３）。
【０１５５】
この後に、利用者は、ＩＣカード１０９をＩＣカード載置部１１１から取り除いた時には、ＩＣカード１０９には、設定情報１とセット状態のフラグが保持されている（ステップＳ５６４）。
【０１５６】
次に、利用者は、同一のＩＣカード１０９を用いて第２の対象装置にログインすると（ステップＳ５６５）。設定後にＩＣカード１０９内のフラグはリセットされる（ステップＳ５６６）。
【０１５７】
次に、第２の対象装置で、ＩＣカード１０９がＩＣカード載置部１１１に置かれている状態で、設定情報２が、記憶部１０７に書き込まれる（図示せず）。また、設定情報２は、ＩＣカード１０９にも書き込まれる（Ｓ５６７）。
【０１５８】
次に、利用者が第２の対象装置からログアウトする（ステップＳ５６８）。
【０１５９】
この後に、利用者は、ＩＣカード１０９をＩＣカード載置部１１１から取り除いた時には、ＩＣカード１０９には、設定情報２とセット状態のフラグが保持されている（ステップＳ５６９）。
【０１６０】
次に、利用者は、同一のＩＣカード１０９を用いて第１の対象装置にログインすると（ステップＳ５７０）、設定後にＩＣカード１０９内のフラグはリセットされるが（ステップＳ５７１）、ステップＳ５７０とステップＳ５７１の間の設定を始める時には、フラグがセットされているので、第１の対象装置に接続されている記憶部１０７に保持されている設定情報１ではなく、ＩＣカード１０９に保持されている設定情報２に基づいて、第１の対象装置に設定２がなされる（ステップＳ５７２）。
【０１６１】
しかし、図示しないが、第２の対象装置からのログアウト（ステップＳ５６８）の前に、ＩＣカードをＩＣカード載置部１１１から取り除くと、ＩＣカード１０９には、設定情報２とリセット状態のフラグが保持されることになるので、ステップＳ５７０とステップＳ５７３の間の設定を始める時には、フラグがリセットされているので、ＩＣカード１０９に保持されている設定情報２ではなく、第１の対象装置に接続されている記憶部１０７に保持されている設定情報１に基づいて、第１の対象装置に設定１がなされることとなってしまう。つまり、最新の設定情報に基づいた設定をすることができなくなってしまう。
【実施例４】
【０１６２】
実施例４は、第２の実施の形態の具体的な動作例１である。実施例４では、実施例３と同様に、利用者が１つのＩＣカード１０９を２つの対象装置で共通に用いる。
【０１６３】
図１５を参照すると、第１の対象装置で、ＩＣカード１０９がＩＣカード載置部１１１に置かれている状態で、設定情報１及びタイムスタンプＴ１が、記憶部１０７に書き込まれる（ステップＳ６０１）。また、設定情報１及びタイムスタンプＴ１は、ＩＣカード１０９にも書き込まれる（Ｓ６０２）。
【０１６４】
次に、利用者が第１の対象装置からログアウトする（ステップＳ６０３）。
【０１６５】
この後に、利用者は、ＩＣカード１０９をＩＣカード載置部１１１から取り除いた時には、ＩＣカード１０９には、設定情報１及びタイムスタンプＴ１が保持されている（ステップＳ６０４）。
【０１６６】
次に、利用者が、同一のＩＣカード１０９を用いて第２の対象装置にログインした時には（ステップＳ６０５）。ＩＣカード１０９には設定情報１及びタイムスタンプＴ１が保持されている（ステップＳ６０６）。
【０１６７】
次に、第２の対象装置で、ＩＣカード１０９がＩＣカード載置部１１１に置かれている状態で、設定情報２及びタイムスタンプＴ２が、記憶部１０７に書き込まれる（図示せず）。また、設定情報２及びタイムスタンプＴ２は、ＩＣカード１０９にも書き込まれる（Ｓ６０７）。
【０１６８】
次に、利用者が第２の対象装置からログアウトする（ステップＳ６０８）。
【０１６９】
この後に、利用者は、ＩＣカード１０９をＩＣカード載置部１１１から取り除いた時には、ＩＣカード１０９には、設定情報２及びタイムスタンプＴ２が保持されている（ステップＳ６０９）。
【０１７０】
次に、利用者は、同一のＩＣカード１０９を用いて第１の対象装置にログインすると（ステップＳ６１０）、記憶部１０７に格納されているタイムスタンプＴ１により示される日時よりも、ＩＣカード１０９に保持されているタイムスタンプＴ２により示される日時の方が後であるので、ＩＣカード１０９に保持されている設定情報２に基づいて、第１の対象装置に設定２がなされる（ステップＳ６１１）。
【実施例５】
【０１７１】
実施例５は、第２の実施の形態の具体的な動作例２である。実施例５では、実施例３及び実施例４と同様に、利用者が１つのＩＣカード１０９を２つの対象装置で共通に用いる。
【０１７２】
図１６を参照すると、第１の対象装置で、ＩＣカード１０９がＩＣカード載置部１１１に置かれている状態で、設定情報１及びタイムスタンプＴ１が、記憶部１０７に書き込まれる（ステップＳ６２１）。また、設定情報１及びタイムスタンプＴ１は、ＩＣカード１０９にも書き込まれる（Ｓ６２２）。
【０１７３】
次に、利用者が第１の対象装置からログアウトする（ステップＳ６２３）。
【０１７４】
この後に、利用者は、ＩＣカード１０９をＩＣカード載置部１１１から取り除いた時には、ＩＣカード１０９には、設定情報１及びタイムスタンプＴ１が保持されている（ステップＳ６２４）。
【０１７５】
次に、利用者が、同一のＩＣカード１０９を用いて第２の対象装置にログインした時には（ステップＳ６２５）。ＩＣカード１０９には設定情報１及びタイムスタンプＴ１が保持されている（ステップＳ６２６）。
【０１７６】
次に、第２の対象装置で、ＩＣカード１０９がＩＣカード載置部１１１に置かれている状態で、設定情報２及びタイムスタンプＴ２が、記憶部１０７に書き込まれる（図示せず）。また、設定情報２及びタイムスタンプＴ２は、ＩＣカード１０９にも書き込まれる（Ｓ６２７）。
【０１７７】
この後に、利用者は、ＩＣカード１０９をＩＣカード載置部１１１から取り除いた時には、ＩＣカード１０９には、設定情報２及びタイムスタンプＴ２が保持されている（ステップＳ６２８）。
【０１７８】
次に、利用者が第２の対象装置からログアウトする（ステップＳ６２９）。
【０１７９】
次に、利用者は、同一のＩＣカード１０９を用いて第１の対象装置にログインすると（ステップＳ６３０）、記憶部１０７に格納されているタイムスタンプＴ１により示される日時よりも、ＩＣカード１０９に保持されているタイムスタンプＴ２により示される日時の方が後であるので、ＩＣカード１０９に保持されている設定情報２に基づいて、第１の対象装置に設定２がなされる（ステップＳ６７１）。
【０１８０】
実施例４及び実施例５に示すように、第２の実施の形態によれば、第２の対象装置において、ログアウトの後にＩＣカードがＩＣカード載置部１１１から取り除かれる場合のみならず、ログアウトの前にＩＣカードがＩＣカード載置部１１１から取り除かれる場合であっても、その後に、第１の対象装置に最新の設定情報に基づいた設定をすることができる。
【０１８１】
なお、上記の設定装置は、ハードウェア、ソフトウェア又はこれらの組合せにより実現することができる。また、上記の設定装置により行なわれる設定方法も、ハードウェア、ソフトウェア又はこれらに組合せにより実現することができる。ここで、ソフトウェアによって実現されるとは、コンピュータがプログラムを読み込んで実行することにより実現されることを意味する。
【０１８２】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１８３】
本発明は、対象装置に設定をするために利用することができる。
【符号の説明】
【０１８４】
１０１設定装置
１１１  ＩＣカード載置部
１１３  ＩＣカードリーダ／ライタ
１１５  ログイン部
１１７  利用者インターフェース
１１９  ログアウト部
１２１  初期設定部
１２３  設定情報更新部
１２５  設定更新部
１２７  設定情報書込部
１２７Ｂ  設定情報／日時情報書込部
１２９  設定情報読込部
１３１  フラグ判定部
１３３  設定情報置換部
１３３Ｂ  設定情報／日時情報置換部
１３５  フラグ操作部
１３７  有効／無効部
１４１  日時比較部
１５１  制御部
【図１】
0006581932.tif 000002
【図２】
0006581932.tif 000003
【図３】
0006581932.tif 000004
【図４】
0006581932.tif 000005
【図５】
0006581932.tif 000006
【図６】
0006581932.tif 000007
【図７】
0006581932.tif 000008
【図８】
0006581932.tif 000009
【図９】
0006581932.tif 000010
【図１０】
0006581932.tif 000011
【図１１】
0006581932.tif 000012
【図１２】
0006581932.tif 000013
【図１３】
0006581932.tif 000014
【図１４】
0006581932.tif 000015
【図１５】
0006581932.tif 000016
【図１６】
0006581932.tif 000017